(57)【要約】【課題】  入力された複数の音声信号の音圧レベルの利得調整を自動的に行い、音のバランスを良くしほぼ同レベルに音を揃えることができる音声調整装置を得る。【解決手段】  音声調整装置１０は、入力された複数の音声信号の音量などをそれぞれ調整して出力する複数の音声調整手段(11a〜11n)を備え、これらの音声調整手段は、その入力回路１１ａ〜１１ｎの入力利得調整を、各々の音声入力レベルを検出して自動的に調整する機能を備える。複数の音声調整手段における入力回路の中から基準となる一つの入力回路を選択するとともに、この入力回路の利得を所定の基準値に設定（１４）し、他の入力回路における利得調整を、上記基準値を基準として自動的に調整する。【選択図】        図１
2006287716.tif 000002
【特許請求の範囲】
【請求項１】
入力された複数の音声信号の音量などをそれぞれ調整して出力する複数の音声調整手段を備えている音声調整装置において、
前記各音声調整手段は、その入力回路の入力利得調整を、各々の音声入力レベルを検出して自動的に調整する機能を備えてなり、
前記複数の音声調整手段における入力回路の中から基準となる一つの入力回路を選択するとともに、この入力回路の利得を所定の基準値に設定し、他の入力回路における利得調整を、上記基準値を基準として自動的に調整するように構成したことを特徴とする音声調整装置。
【請求項２】
請求項１記載の音声調整装置において、
複数の音声調整手段のうち、入力回路における利得調整の値が許容値を超えた場合の警告機能を備えていることを特徴とする音声調整装置。
【発明の詳細な説明】
【技術分野】
【０００１】
本発明は、録音、編集、放送等に使用するミキシングコンソールなどにおいて、入力された複数の音声信号の音量などをそれぞれ調整して出力する音声調整装置に関し、特にこの音声調整装置における入力回路の利得調整方法に関する。
【背景技術】
【０００２】
各種放送用、レコーディング用スタジオ等において使用され、複数の音声信号の処理、調整等を行い、音声ソフトを制作するためのミキシングコンソールが従来から知られている。この種のミキシングコンソールには、たとえばマイクロフォンや音声再生装置からなどの装置から複数の音声信号を入力し、それぞれの音声信号の音量レベルを、それぞれ対応する複数の音声調整手段を用いてそれぞれ調整して出力する音声調整装置が用いられている。
【０００３】
この種の音声調整装置における各音声調整手段には、音量の調整レベルを指定するための調整レベル指定手段が設けられており、当該調整レベル指定手段で指定された調整レベルで音声信号を増幅して音量を調整するように構成されている。このような音声調整装置では、複数の音声調整手段を、それぞれ複数の音声調整手段によって構成される複数のグループに分類し、それぞれのグループ毎の音声調整手段の調整を必要に応じて種々行うようになっている（例えば、特許文献１、特許文献２参照）。
【０００４】
【特許文献１】特開２００１−１４２４７６
【特許文献２】特開２００４−１４０５３１
【発明の開示】
【発明が解決しようとする課題】
【０００５】
ところで、上述した音声調整装置を構成する音声調整手段により個々の音声信号の調整を行う場合において、従来はそれぞれの音声信号の音量レベルを調整スイッチ（ツマミ）等によりすべて手動で操作するようになっている。したがって、音声調整手段の数が多くなるに従って、その調整操作が面倒かつ煩雑となるという不具合があった。特に、同一場所にある音源からの音声信号をグループとしたり、関連する音源からの音声信号をグループとして調整が行われているが、音源の数が多数に及ぶと、すべてを短時間で正確に調整することはきわめて困難であった。
【０００６】
たとえば、この種の音声調整装置の各音声系統にある各種調整機能の中に、複数の音声信号の入力回路の利得調整があるが、これを行うには、操作者はそれぞれの音声入力信号をメータを見ながら、あるいは音声をモニタしながら行うことが必要であり、調整すべき音声のチャンネル数が多くなるほど、煩雑さは避けられないものであった。事前に、リハーサル等によって利得調整ができない場合、音声調整装置の操作者は何十チャンネルにも及ぶ音声入力のレベルを監視し、適切なミキシングバランスを保つための利得調整に神経を集中しなければならなかった。
【０００７】
すなわち、上述した音声信号の入力利得は、操作者の経験や接続信号源の定格に応じ調整される。しかし、マイクロフォンの音声信号レベルは音源、空間、マイクロフォンなどのレベルを決める要素があり、確実な調整にはリハーサルの実施が必要となる。これらの入力利得調整は複数の入力回路を持つ音声調整装置上に何十も数があり、操作者にとって大きな負担となっている。
【０００８】
本発明はこのような事情に鑑みてなされたものであり、複数の音声信号が入力されたときに、それぞれの音声音圧レベルの利得調整を自動的に行い、バランスのよい音を得てほぼ同レベルに音圧レベルを揃えることができる音声調整装置を得ることを目的とする。
【課題を解決するための手段】
【０００９】
このような目的に応えるために本発明（請求項１記載の発明）に係る音声調整装置は、入力された複数の音声信号の音量などをそれぞれ調整して出力する複数の音声調整手段を備えている音声調整装置において、前記各音声調整手段は、その入力回路の入力利得調整を、各々の音声入力レベルを検出して自動的に調整する機能を備えてなり、前記複数の音声調整手段における入力回路の中から基準となる一つの入力回路を選択するとともに、この入力回路の利得を所定の基準値に設定し、他の入力回路における利得調整を、上記基準値を基準として自動的に調整するように構成したことを特徴とする。
【００１０】
このような構成によれば、複数の音声調整手段からなるグループにおいての利得調整を、一つの入力回路への基準値の設定操作だけでよく、残りは自動的に行うことができるから、操作者にとって従来のような面倒な操作は不要で、しかも調整も適切に行える。特に、グループ内の自動利得調整を、一つの入力回路に設定した基準値を基準として行うことにより、他の入力回路では、利得調整範囲が基準値からの調整でよいために狭められることになり、結果として該グループにおける自動利得調整時間を短縮できることになる。
【００１１】
ここで、複数の音声調整手段からなるグループとは、たとえばほぼ同一の場所から得られる音声信号、あるいは関連する音源からの音声信号等というように相関関係のある複数の音声信号によって構成すればよいが、勿論これに限定されるものではない。
【００１２】
本発明（請求項２記載の発明）に係る音声調整装置は、請求項１記載の音声調整装置において、複数の音声調整手段のうち、入力回路における利得調整の値が許容値を超えた場合の警告機能を備えていることを特徴とする。
【００１３】
このような構成によれば、自動利得調整を指定した同一グループ内での利得調整を行うにあたって、利得調整の値が許容値を超えた場合に警告することができるから、操作者の判断を仰ぐことが可能で、音声調整装置としての利得調整をより一層的確に行うことができる。
ここで、許容値としては、マイクロフォンや回線等による音声信号が正常に機能している場合に起こりえる偏差を意味し、これを外れた場合は何らかの異常が生じていると判断できる程度の値である。
【発明の効果】
【００１４】
以上説明したように本発明に係る音声調整装置によれば、複数の音声調整手段からなるグループにおいての利得調整を、一つの入力回路への基準値の設定操作だけでよく、残りは自動的に行うことができるから、操作者にとって従来のような面倒な操作は不要で、しかも調整も適切に行える。また、このような自動利得調整を、一つの入力回路に設定する基準値を基準として行うことから、複数の音声調整手段全体での利得調整時間を短縮することができる。
【００１５】
また、本発明によれば、自動利得調整を行っているときに利得調整の値が許容値を超えた場合の警告により、操作者の判断を仰ぐことができるから、音声調整装置としての利得調整をより一層的確に行うことができる。
【００１６】
したがって、本発明による音声調整装置によれば、複数の音声信号が入力されたときに、それぞれの音声音圧レベルの利得調整を自動的に行い、バランスのよい音を得てほぼ同レベルに音圧レベルを揃えることができるという優れた効果を奏する。
本発明の音声調整装置は、
という利点がある。
【発明を実施するための最良の形態】
【００１７】
図１は本発明に係る音声調整装置の一実施形態を示す。
図において、符号１０で示すものは本発明を特徴づける音声調整装置であり、この音声調整装置１０は、複数の音源１ａ〜１ｎから入力された複数の音声信号の音量などをそれぞれ調整して出力する複数の音声調整手段を備えている。これら複数の音声調整手段は、それぞれ入力利得調整回路１１ａ〜１１ｎを備えており、またその他必要な調整手段なども備えている。
【００１８】
前記各音声調整手段は、その入力利得調整回路１１ａ〜１１ｎの入力利得調整を、各々の音声入力レベルを検出して自動的に調整する機能を備えている。すなわち、本発明によれば、複数の音声調整手段における入力利得調整回路１１ａ〜１１ｎの中から基準となる一つの入力回路（たとえば１１ａ）を選択するとともに、この入力利得調整回路１１ａの利得を、操作者の入力操作１４により所定の基準値に設定するように構成している。そして、他の入力利得調整回路１１ｂ〜１１ｎにおける利得調整を、上記基準値を基準として自動的に調整するように構成している。
【００１９】
ここで、図１中、符号１２は制御部としてのマイクロプロセッサ、１３は前記各音声入力の音声音圧レベルを検出している音声音圧レベル検出部で、これらによって各音声信号のレベルを検出し、マイクロプロセッサでそれぞれの入力利得調整回路１１ｂ〜１１ｎを制御することにより、それぞれの利得調整を自動的に行うように構成している。
【００２０】
すなわち、入力利得調整回路１１ａ〜１１ｎの音声音圧レベルを音声音圧レベル検出部１３によって検出した後、マイクロプロセッサ１２により基準音圧レベルにするための入力利得の変化幅が算出されその結果により入力利得調整が行われる。ここで、上記の検出には聴感補正および平均化処理をもち、人が感じる音圧レベルに近くなるような処理を施している。
【００２１】
なお、基準値を設定する操作者の入力操作１４も、マイクロプロセッサ１２から該当する入力利得調整回路１１ａに伝達されて制御されることはいうまでもない。
また、図１中、符号１５は各音声信号の信号の状態や調整結果の状態を表示するための表示手段である。
【００２２】
以上の構成によれば、相関関係のある音源１ａ〜１ｎからの音声信号を調整するための音声調整装置１０において、複数の音声調整手段（複数の入力チャンネル）のうちの一つを基準チャンネルと決める。そして、この基準チャンネルの入力利得を所定の値（基準値）に設定操作する。
【００２３】
この状態において、他の入力チャンネルを上記の基準値を基準として自動的に調整する入力チャンネル群とし、これらの入力利得調整回路１１ｂ〜１１ｎの利得は一旦マイクロプロセッサ１２からの制御で、上記の基準値に設定する。
【００２４】
次で、上記の基準チャンネルの入力利得調整回路１１ａでの音圧レベルと他のチャンネルの入力利得調整回路１１ｂ〜１１ｎでの音圧レベルを所定時間比較し、利得差を検出部１３を介してマイクロプロセッサ１２が把握する。そして、他のチャンネルでの利得を、基準チャンネルでの音圧レベルと同じになるように、換言すれば、上記の利得差がなくなるように各回路１１ｂ〜１１を自動的に調整することで、グループ全体での利得調整が自動的に行えることになる。
【００２５】
上述したような構成によれば、複数の音声調整手段からなるグループにおいての利得調整を、一つの入力回路１１ａへの基準値の設定操作だけでよく、残りは自動的に行うことができるから、操作者にとって従来のような面倒な操作は不要で、しかも調整も適切に行える。特に、グループ内の自動利得調整を、一つの入力回路１１ａに設定した基準値を基準として行うことにより、他の入力回路１１ｂ〜１１ｎでは、利得調整範囲が基準値からの調整でよいために狭められることになり、結果として該グループにおける自動利得調整時間を短縮できることになる。
【００２６】
ここで、複数の音声調整手段からなるグループとは、たとえばほぼ同一の場所にある音源から得られるような音声信号、あるいは関連する音源からの音声信号等というように相関関係のある複数の音声信号によって構成すればよい。このような音源１ａ〜１ｎは、たとえば同種の音源を收音する複数のマイクロフォン、あるいは複数の伝送回線を経由して受信される適宜の音声信号等、種々のものがある。
【００２７】
以上のような音声調整装置１０の操作フローを図２に示している。これを簡単に説明すると、Ｓ１０１でしめす番組の音声を音声調整装置１０を用いてミキシング調整し放送、収録をするにあたって、まず、Ｓ１０２でシステムのセッティングを行う。次に、Ｓ１０３で音声調整装置の複数の入力回路に複数の音源を接続する。
そして、Ｓ１０４で操作者は音声調整装置の基本的な調整をする。
【００２８】
Ｓ１０５で入力利得の調整を行い、Ｓ１０６で各信号源から音声信号を音声調整装置１０に受ける。Ｓ１０７で基準にした入力回路１１ａの入力利得を調整して設定する。
Ｓ１０８でこの基準に決めた入力の音声レベルと同様な音声レベルに合わせたい入力回路を決めて音声調整装置１０に設定入力する。そして、Ｓ１０９で自動調整をスタートさせ、Ｓ１１０で調整完了を確認するとともに、調整された利得も確認する。
【００２９】
ところで、上述した複数の音声調整手段での音声入力のうち、音圧レベルが大きすぎて自動的な利得調整を行えない場合がある。このような場合には、警告手段を前記表示手段１５等に付設しておき（または別に設けてもよい）、複数の入力利得調整回路１１ｂ〜１１ｎにおける利得調整の値が許容値を超えた場合に警告できるように構成するとよい。
ここで、許容値としては、マイクロフォンや回線等のような音源による音声信号が正常に機能している場合に起こり得る偏差を意味し、これを外れた場合は何らかの異常が生じていると判断できる程度の値とすればよい。
【００３０】
このような構成とすれば、自動利得調整を指定した同一グループ内での利得調整を行うにあたって、利得調整の値が許容値を超えた場合に警告できるから、操作者の判断を仰ぐことが可能で、音声調整装置１０としての利得調整をより一層的確に行うことができるのである。
【００３１】
すなわち、マイクロプロセッサ１２が判断した利得差が任意に設定した利得差許容値を超えているか否かを判断し、超えているときには操作者に表示等で警告を与えるとよい。操作者は、許容値内で自動調整させるか、あるいは自動調整をオフにするかを判断することになる。このような判断によれば、基準としたチャンネルとのレベル差が大きいことを表すため、マイクロフォンなどの機器のトラブルや回線異常などを察知することができるのである。
【００３２】
このような事前に調整範囲を許容値に設定するステップを図２のＳ１２０以下に記載している。すなわち、Ｓ１２０での設定後、Ｓ１２１で自動調整をスタートさせ、Ｓ１２２で調整後の確認を行い、またＳ１２３で許容値内で調整ができなかった場合の警告を行うようになっている。
【００３３】
したがって、本発明による音声調整装置１０によれば、複数の音声信号が入力されたときに、それぞれの音声音圧レベルの利得調整を自動的に行い、バランスのよい音を得てほぼ同レベルに音圧レベルを揃えることができることになる。
【００３４】
すなわち、同種音源を複数のマイクロホンで收音するとき、複数の音声信号が収録されている記録媒体を再生するとき、複数の伝送回線を経由して受信された音声信号などは、主たる音声信号が同種のものである場合、ほぼ同一レベルであることが望まれる。このことはステレオ信号に喩えると、主たる音声信号を中央に定位することを意図した録音が多いことで明らかである。
【００３５】
本発明によれば、音声調整装置１０において音圧レベルを検出比較して入力利得を調整しているため、マイクロフォンや各伝送回路等といった複数の音源におけるレベル偏差を吸収でき、音声調整装置の操作者はミキシング作業に集中することができるという利点を奏することができるのである。
【００３６】
なお、本発明は上述した実施の形態で説明した構造には限定されず、音声調整装置１０を構成する各部の形状、構造等を適宜変形、変更し得ることはいうまでもない。
【図面の簡単な説明】
【００３７】
【図１】本発明に係る音声調整装置の一実施形態を示す概略構成のブロック図である。
【図２】本発明に係る音声調整装置の動作を説明するためのフローチャートである。
【符号の説明】
【００３８】
１ａ，１ｂ，・・・，１ｎ…音源からの音声信号、１０…音声調整装置、１１ａ，１１ｂ，・・・，１１ｎ…音声調整手段における入力利得調整回路、１２…マイクロプロセッサ（制御部）、１３…音声音圧レベル検出部、１４…入力操作、１５…状態、結果表示手段（警告手段を含む）。
【図１】
2006287716.tif 000003
【図２】
2006287716.tif 000004